(57)【要約】【課題】竿体の排気性・排水性に富み且つ操作性にも配慮した釣竿を提供する。【解決手段】この元竿２の竿元側端部の周面には孔２ａが形成されている。そして、孔２ａ上には元竿２の周面より突出する突出部材１０が配置される。突出部材１０には孔２ａに連通する貫通路１０ａが傾斜して形成されており、元竿２内部に溜まった水はここから排水され、空気もここから出入りする。【選択図】　　図２
2004105005.tif 000002
【特許請求の範囲】
【請求項１】
最も手元側に位置する筒状体であり、周面にリールを脱着自在に装着可能なリールシートを有し且つ前記リールシートと同一の周方向位置の竿元側端部周面に軸方向に間隔を隔てて複数の孔が形成されている元竿と、
前記元竿の貫通孔の形成されている周面部分上に取り付けられる部材であり、前記孔に連通する貫通路が形成されている突出部材と
を備えた釣竿。
【請求項２】
前記突出部材は前記元竿の軸方向に延びる部材であり、その裏面は前記元竿の周面形状に合致して幅方向中央が最も凹入する曲面化され、その表面は幅方向中央が最も前記元竿の周面より突出するように曲面化されており、前記貫通路は前記表面から穂先側方向に傾斜して形成されている、請求項１に記載の釣竿。
【請求項３】
前記突出部材の裏面の貫通路の出口周縁には、前記元竿の貫通孔に挿入される係止突起が形成されている、請求項２に記載の釣竿。
【発明の詳細な説明】
【０００１】
【発明の属する技術分野】
本発明は、魚釣りに用いる釣竿に関する。
【０００２】
【従来の技術】
従来の釣竿は、一般に元竿と呼ばれる竿元側に位置する太径の竿体の穂先側に複数の竿体を連結して一本の釣竿となっている。この元竿の周面にはリールを装着するためのリールシート及び釣人が元竿を把持するためのグリップが設けられる。また、いわゆる外通し竿では各竿体の周面にリールからの釣糸を案内する釣糸ガイドが装着され、いわゆる中通し竿では釣糸を竿体内部に導入するための釣糸導入口が竿体の周面に形成される。そして、外通し竿ではリールからの釣糸を釣糸ガイドを介して穂先側に導き、中通し竿では釣糸内部に釣糸を挿通させて、釣りを行うことになる。
【０００３】
従来のこのような釣竿においては幾つかの問題点が指摘されてきた。例えば、中通し竿であれば巻きあげる釣糸と共に水が竿体内部に侵入し、その排水が必要となる。また、振出形式に竿体を連結している釣竿にあっては、振出形式に各竿体を連結している場合、穂先側の竿体を手元側の竿体内から出し入れする際に手元側の竿体内の空気の逃げ場がなくなり、スムーズに出し入れできない恐れがある。
【０００４】
このため竿体の後端若しくは底栓に開閉自在な排水部を設けた釣竿（例えば、特許文献１参照）などが提案されている。しかし、この技術は排水にのみに着目したに過ぎず、釣竿の操作性への配慮に欠ける。釣竿の竿元側の端部付近は釣人が把持して釣り操作を行う箇所であり、不要な部材を装着すれば操作性を損なう恐れがある。
【０００５】
一方、竿体の竿元側周面に操作性を向上させるべくゴム製のグリップ片を装着する釣竿も提案されている（例えば、特許文献２）。しかし、この技術は排水・排気などに配慮するものではない。
【０００６】
【特許文献１】
特開平７−２１３２００号公報（図１，図５等）
【０００７】
【特許文献２】
特開平１１−０４６６３４号公報（図１）
【０００８】
【発明が解決しようとする課題】
本発明の課題は、竿体の排気性・排水性に富み且つ操作性にも配慮した釣竿を提供することにある。
【０００９】
【課題を解決するための手段】
発明１の釣竿は、最も手元側に位置する筒状体であり、周面にリールを脱着自在に装着可能なリールシートを有し且つリールシートと同一の周方向位置の竿元側端部周面に軸方向に間隔を隔てて複数の孔が形成されている元竿と、元竿の貫通孔の形成されている周面部分上に取り付けられる部材であり、孔に連通する貫通路が形成されている突出部材とを備えている。
【００１０】
この釣竿では、元竿の孔とこれに連通する突出部材の貫通路を介して元竿の内部に侵入した水が外部に排出される。元竿内の空気もこの孔及び貫通路を介して出入りする。特に、元竿の孔がリールシートと同一の周方向位置の元竿周面に形成されており、例えば、スピニングリールを地面方向に向けて釣竿を使用するに当たっては、元竿内の水が良好に外部に排出されることになる。また、突出部材は孔の形成により低下する元竿の強度を補強しており、且つ、釣人がこの突出部材を含めて元竿を把持することで、周方向の滑り止めにも役立つ。
【００１１】
発明２の釣竿は、発明１の釣竿であって、突出部材は元竿の軸方向に延びる部材であり、その裏面は元竿の周面形状に合致して幅方向中央が最も凹入する曲面化され、その表面は幅方向中央が最も元竿の周面より突出するように曲面化されており、貫通路は表面から穂先側方向に傾斜して形成されている。
突出部材の曲面化した裏面は元竿にフィットして安定性を向上させている。また、突出部材表面の曲面化により釣人は突出部材をスムーズに握り絞めることができ、周方向の滑り止めに役立つ。また、穂先側方向に傾斜している貫通路は、元竿内部からの排水及び排気吸気を円滑化することになり、外から竿体内部が直接見えないようになるので意匠性にも優れる。
【００１２】
発明３の釣竿は、発明２の釣竿であって、突出部材の裏面の貫通路の出口周縁には、元竿の貫通孔に挿入される係止突起が形成されている。
係止突起が元竿の貫通孔に挿入されることで、突出部材の位置決めが容易になり安定性も向上する。
【００１３】
【発明の実施の形態】
［第１実施形態］
以下、本発明の第１実施形態について図面を参照しつつ説明する。
本発明の第１実施形態を採用した釣竿は、図１に示すように、複数の竿管を振出形式に連結して構成される竿体ユニット１と、竿体ユニット１の竿元側に振出形式に連結される太径の元竿２とから構成されている。元竿２及び竿体ユニット１を構成する各竿体は、それぞれ繊維強化樹脂に合成樹脂を含浸させたプリプレグ素材を焼成してなり、それぞれ穂先側ほど小径化するテーパが施されている。
【００１４】
竿体ユニット１の各竿体の穂先側端部及び／または竿元側端部はそれぞれ連結部分となっており、穂先側の竿体を竿元側の竿体から穂先側に引き出して連結固定可能となっている。また、収納時には穂先側の竿体が順次竿元側の竿体内部に収納される。各竿体の内部は釣糸が挿通する釣糸通路にもなっており、必要に応じて、それぞれの竿体の内周面には釣糸を支持するための釣糸支持突起が螺旋状に連続して形成される。また、最も穂先側に位置する竿体（穂先竿）の穂先側端部にはトップガイド３が装着される。
【００１５】
元竿２も、上記竿体ユニットを構成する竿体と同様に、その穂先側端部は連結部分となっており、竿体ユニット１が穂先側から元竿２の内部に収納自在になっている。元竿２の軸方向中央付近の周面にはリール６を脱着自在に装着するためのリールシート７が配置され、穂先側の周面にはリール６からの釣糸１００を元竿２の内部から竿体ユニット１を構成する竿体内へ導入するための釣糸導入口５が形成される。この釣糸導入口５の上空には釣糸導入口５に釣糸１００を案内する釣糸導入ガイド８を配置してもよい。また、元竿２の竿元側端部内周面はねじ溝が形成されており（図２参照）、ここに尻栓９が脱着自在に螺着している。
【００１６】
また、図２に詳しく示すように、元竿２の竿元側の周面のリールシート７の配置される周方向側には軸方向に間隔を隔てて３つの孔２ａが形成されており、この周面には突出部材１０が装着されている。
突出部材１０は、硬質プラスチック若しくは金属等から形成する。意匠性を高めるべく、硬質プラスチックから形成する際にはその周面に金属メッキ等の表面処理を施してもよい。この突出部材１０は接着剤や両面テープなどの周知の方法で元竿２の所定の周面に固定される。
【００１７】
図３に示すように、突出部材１０はその上面視方向において（図３（ｃ）参照）、軸方向に延びて穂先側にかけて幅狭に軸方向中央付近から竿元側端部にかけて幅太になっている。例えば、この突出部材１０は、軸方向長さが８０〜１００ｍｍ程度、最大幅で１５〜２０ｍｍ程度に設定される。図４及び図５に示すように、突出部材１０の裏面（元竿１の周面に当接する面）は元竿１の周面形状に合致して幅方向中央が最も凹入するように曲面化され、その表面は幅方向中央が最も元竿２の周面より突出するように曲面化されている。この突出部材１０の元竿２の周面からの最大の突出高さは３〜５ｍｍ程度に設定するのが好ましい。
【００１８】
突出部材１０には軸方向に間隔を隔てて３つの貫通路１０ａが上述の元竿２の孔２ａにあわせて形成されている。即ち、貫通路１０ａの裏面側の出口は上述の元竿２の孔２ａに合致する。この貫通路１０ａは突出部材１０の表側口から裏面口に向かって穂先側方向に傾斜する傾斜路である（図２・図３（ｃ）参照）。このような傾斜を設けることで、貫通路１０ａを元竿２に直交する方向から見ても、貫通路１０ａから元竿２の内部まで直接目視できるような不都合を排除している。
【００１９】
また、この３つの貫通路１０ａの中で最も穂先側に位置する貫通路１０ａの裏面側の出口の穂先側周縁と、最も竿元側に位置する貫通路１０ａの背面側の出口の竿元側周縁には、それぞれ元竿２方向に突出する係止突起１０ｂ，１０ｃが形成されている（背面視方向の図３（ａ）参照）。この係止突起１０ｂ，１０ｃはそれぞれ元竿２の孔２ａに嵌入されて、軸方向の位置決めとなる。もっとも、係止突起１０ｂ，１０ｃは元竿２の孔２ａから元竿２の内部空間へ飛び出さない程度の大きさに形成する。なお、この実施形態では、軸方向中央の貫通路１０ａについては係止突起を設けていないが、必要に応じてこの軸方向中央の貫通路１０ａにも係止突起を他の貫通路１０ａと同様に形成してもよい。
【００２０】
このように構成されている釣竿では、釣糸１００をリール６で巻きあげると、釣糸１００に付着した水が釣糸１００と共に竿体ユニット１及び元竿２の内部に侵入して場合がある。釣竿の穂先側を持ち上げると、この侵入した水は元竿２の孔２ａとこれに連通する突出部材１０の貫通路１０ａを介して元竿２外部に排出されることになる。特に、この孔２ａがリールシート６と同一の周方向位置の元竿２の周面に形成されており、例えば、スピニングリールを地面方向に向けて釣竿を使用するに当たっては、元竿２内に至った水が良好に孔２ａに至る。そして、傾斜した貫通路１０ａを介して外部に排水される。
【００２１】
また、竿体ユニット２を構成する竿体を順次竿元側の竿体内部に元竿２まで収納し、若しくは各竿体を穂先側に引き出す際には、この孔２ａ及び貫通路１０ａを介して空気が各種竿体内部に出入りする。よって、竿体内部に空気が溜まり若しくは空気が少なくなり、竿体の出し入れが阻害されるピストン現象も抑えられる。
【００２２】
なお、この突出部材１０は元竿２に孔２ａを形成することによって低下する元竿２の強度を補強している。さらに、釣人がこの突出部材１０を含めて元竿２の竿元側端部を把持することで、周方向の滑り止めにもなり釣竿の操作性も向上する。
［第２実施形態］
本発明の第２実施形態について説明する。
【００２３】
本発明の第２実施形態を採用した釣竿も、第１実施形態と同様に、元竿２及び竿体ユニット１から構成される。元竿２にはリールシートが形成され、上記第１実施形態と同様に、リールシートの配置された周方向位置に軸方向に間隔を隔てて３つの孔２ａが形成されている。そして、図７に示すように、この元竿２の３つの孔２ａ上にはそれぞれ突出部材２０が装着されている。
【００２４】
図８にも示すように、突出部材２０は上面方向視で楕円型の部材であり、ちょうど孔２ａを覆う程度の大きさを有している硬質プラスチック若しくは金属製の部材である。表面側は丘状にラグビーボールを半割にしたような形状に盛り上がり、裏面は元竿２の周面形状に合わせて曲面化している。また、この突出部材２０には孔２ａに連通する貫通路２０ａが高さ方向に貫いている。貫通路２０ａの裏面側口の周縁は全周にわたって孔２ａの周に沿って突出して係止突起が形成されている。この係止突起も上記第１実施形態と同様に元竿２の内部空間にまで飛び出さないようにしている。
【００２５】
このような突出部材２０を有する釣竿でも、第１実施形態と同様に、竿体内部の水を排出し、空気の出入りを可能とし、孔の補強及び滑り止めも可能となる。なお、突出部材に関しては、図９に示すような変形例も呈示できる。この変形例に関する突出部材３０は、貫通路３０ａを表面側口から裏面側口に向かって穂先側に傾斜させている。
【００２６】
［他の実施形態］
（ａ）上述の各実施形態では元竿の孔は３つ形成しているが、その数はこれに限定されるものではない。孔の数に応じて突出部材の貫通路若しくは装着する突出部材の数を設定する。
（ｂ）上記実施形態では、いわゆる中通し竿を例示しているがこれに限定されるものではない。特に、元竿及びその穂先側に連結される元上竿とを、元上竿を元竿内に収納した収納状態及び引き出した延伸状態の何れに於いても相互に連結固定可能とし釣竿全体の長さを調整可能とするタイプの釣竿などに、本発明を適用すれば、釣竿全体の長さ調整が容易にもなる。
【００２７】
【発明の効果】
本発明にかかる釣竿は排水・通気性に優れる。また、強度低下を防止しつつ操作性も向上している。
【図面の簡単な説明】
【図１】本発明の第１実施形態を採用した釣竿の全体図。
【図２】図１の元竿２の竿元側端部付近の断面図。
【図３】図２の突出部材１０の（ａ）裏面方向視図，（ｂ）側面方向視図，（ｃ）表面方向視図。
【図４】図１の突出部材１０を示した図。
【図５】図４のＶ−Ｖ断面図。
【図６】図１の元竿２の参考図。
【図７】本発明の第２実施形態を採用した元竿２の竿元側端部付近を示した図。
【図８】図７の突出部材２０の断面図。
【図９】突出部材の変形例３０を示した図。
【符号の説明】
１　竿体ユニット
２　元竿
２ａ　孔
１０，２０，３０　突出部材
１０ａ，２０ａ，３０ａ　貫通路
【図１】
2004105005.tif 000003
【図２】
2004105005.tif 000004
【図３】
2004105005.tif 000005
【図４】
2004105005.tif 000006
【図５】
2004105005.tif 000007
【図６】
2004105005.tif 000008
【図７】
2004105005.tif 000009
【図８】
2004105005.tif 000010
【図９】
2004105005.tif 000011